(57)【要約】【課題】ＥＴＣシステムが故障した料金所車線や、ETCシステムが設置された場所以外においてもＥＴＣ処理を行うことのできるＥＴＣ臨時出入口システム、ＥＴＣ臨時出入口処理方法、及びＥＴＣ臨時出入口用車両を提供する。【解決手段】可搬性を有し、臨時に設けられた有料道路の入口又は出口において使用されるＥＴＣ臨時出入口システム１であって、料金所を特定する情報である料金所情報等を入力するための操作表示部２と、ＥＴＣ対応のＩＣカード３に対して情報の読み取り及び書き込みを行うＩＣカード処理部４と、前記ＥＴＣ対応のＩＣカード３に対して読み取り及び書き込みを行った情報を記憶する記憶部と、前記操作表示部２、前記ＩＣカード処理部４、及び前記記憶部を制御可能な制御部５と、を具備し、前記制御部５は、前記ＩＣカード処理部４を制御して前記ＩＣカード３に対する情報の読み取り及び書き込みの処理を行わせ、前記記憶部に処理結果を格納する。【選択図】図１
2007233519.tif 000002
【特許請求の範囲】
【請求項１】
可搬性を有し、有料道路入口料金所のＥＴＣ設備が故障している車線において使用されるＥＴＣ臨時出入口システムであって、
料金所を特定する情報である料金所情報等を入力するための操作表示部と、
ＥＴＣ対応のＩＣカードに対して情報の読み取り処理及び書き込み処理を行うＩＣカード処理部と、
前記ＩＣカード処理部の処理が行われた時間情報を提供するための時計部と、
前記ＩＣカード処理部の処理結果や前記時間情報等を格納する記憶部と、
前記操作表示部、前記ＩＣカード処理部、前記時計部、及び前記記憶部を制御する制御部と、
を具備し、
前記制御部は、前記ＩＣカード処理部を介して前記ＩＣカードから情報を読み取り、
前記制御部は、前記時計部を参照して時間情報を取得し、
前記制御部は、入力された前記料金所情報を、取得した前記時間情報と対応付けて書き込み情報を生成し、
前記制御部は、前記書き込み情報を前記ＩＣカードに書き込むように、前記ＩＣカード処理部を制御し、
前記制御部は、前記ＩＣカードから読み取った読み取り情報と、前記書き込み情報とを対応付けて前記記憶部に格納し、
前記記憶部に格納された情報は、着脱自在な記憶媒体に移管され、
前記記憶媒体に移管された情報は、料金所に設置された料金所サーバに移管される
ＥＴＣ臨時出入口システム。
【請求項２】
可搬性を有し、有料道路出口料金所のＥＴＣ設備が故障している車線、若しくは、有料道路に出入り可能でＥＴＣ設備が設置されていない場所に、臨時に設けられた有料道路出口において使用されるＥＴＣ臨時出入口システムであって、
料金所を特定する情報である料金所情報等を入力するための操作表示部と、
ＥＴＣ対応のＩＣカードに対して情報の読み取り処理及び書き込み処理を行うＩＣカード処理部と、
前記ＩＣカード処理部の処理が行われた時間情報を提供するための時計部と、
前記ＩＣカード処理部の処理結果や前記時間情報等を格納する記憶部と、
前記操作表示部、前記ＩＣカード処理部、前記時計部、及び前記記憶部を制御する制御部と、
前記制御部は、前記ＩＣカード処理部を介して前記ＩＣカードから情報を読み取り、
前記制御部は、前記時計部より時間情報を取得し、
前記制御部は、前記料金所情報を取得した前記時間情報と対応付けた書き込み情報を生成し、
前記制御部は、前記書き込み情報を前記ＩＣカードに書き込むように、前記ＩＣカード処理部を制御し、
前記制御部は、前記ＩＣカードから読み取った読み取り情報と、前記書き込み情報とを対応付けて前記記憶部に格納し、
前記記憶部に格納された情報は、着脱自在な記憶媒体に移管され、
前記記憶媒体に移管された情報は、料金所に設置された料金所サーバに移管される
ＥＴＣ臨時出入口システム。
【請求項３】
請求項１又は２に記載されたＥＴＣ臨時出入口システムであって、
更に、
前記記憶部に格納される情報を、車両１台の処理を行う毎に紙面にプリントアウトするジャーナルプリンタ
を具備した、
ＥＴＣ臨時出入口システム。
【請求項４】
請求項１に記載されたＥＴＣ臨時出入口システムであって、
前記読み取り情報は、ＩＣカード番号、を含み、
前記書き込み情報は、入口を特定する入口情報、車種情報、及び入口通過日時を含む
ＥＴＣ臨時出入口システム。
【請求項５】
請求項２に記載されたＥＴＣ臨時出入口システムであって、
前記読み取り情報は、ＩＣカード番号、入口を特定する入口情報、車種情報、及び入口通過日時を含む、
ＥＴＣ臨時出入口システム
【請求項６】
請求項１又は２のいずれかに記載されたＥＴＣ臨時出入口システムと、
車両のドライバーに対してＥＴＣの臨時の出入口である旨を表示する標識部と、
を具備した車両である
ＥＴＣ臨時出入口用車両。
【請求項７】
有料道路上で臨時に設けられた入口におけるＥＴＣ臨時出入口処理方法であって、
ＥＴＣ臨時出入口システムをＥＴＣ臨時入口用車両によって臨時に設けられた料金所の入口まで搬送するステップと、
臨時の料金所の入口を設置する臨時出入口設置ステップと、
前記ＥＴＣ臨時出入口システムを起動する起動ステップと、
前記起動ステップの後に、料金所を特定する料金所情報を前記ＥＴＣ臨時出入口システムのメモリに設定するステップと、
ＥＴＣ対応のＩＣカードから情報の読み取りを行う読み取りステップと、
前記読み取りステップの後に、設定された前記料金所情報を含む書き込み情報を前記ＩＣカードに書き込む書き込みステップと、
前記ＩＣカードから読み取った読み取り情報と、前記ＩＣカードに書き込んだ前記書き込み情報と、を対応付けて記憶部に格納するステップと、
前記記憶部に記憶された前記読み取り情報及び前記書き込み情報を、隣接の料金所に設置された料金所サーバに移動させるステップと、
を具備した
ＥＴＣ臨時出入口処理方法。
【請求項８】
有料道路上で臨時に設けられた出口におけるＥＴＣ臨時出入口処理方法であって、
ＥＴＣ臨時出入口システムをＥＴＣ臨時出口用車両によって臨時に設けられた料金所の出口まで搬送するステップと、
有料道路において、臨時の料金所の出口を設置する臨時出口設置ステップと、
前記ＥＴＣ臨時出入口システムを起動する起動ステップと、
前記起動ステップの後に、料金所を特定する料金所情報を前記ＥＴＣ臨時出入口システムのメモリに設定するステップと、
ＥＴＣ対応のＩＣカードから情報の読み取り処理を行う読み取りステップと、
前記読み取りステップの後に、設定された前記料金所情報を含む書き込み情報を前記ＩＣカードに書き込み処理を行う書き込みステップと、
前記ＩＣカードから読み取った読み取り情報と、前記ＩＣカードに書き込んだ前記書き込み情報と、を対応付けて記憶部に格納するステップと、
前記記憶部に記憶された前記読み取り情報及び前記書き込み情報を、隣接の料金所に設置された料金所サーバに移動させるステップと、
を具備した
ＥＴＣ臨時出入口処理方法。
【請求項９】
請求項７又は８に記載されたＥＴＣ臨時出入口処理方法であって、
更に、
前記記憶部に格納される情報を、車両１台の処理を行う毎に紙面にプリントアウトするステップ、
を具備した
ＥＴＣ臨時出入口処理方法。
【請求項１０】
請求項７に記載されたＥＴＣ臨時出入口処理方法であって、
前記読み取りステップにおいて、前記読み取り情報はＩＣカード番号を含み、
前記書き込みステップにおいて、前記書き込み情報は、入口を特定する入口情報を含み、
前記入口情報は設定された前記料金所情報である
ＥＴＣ臨時出入口処理方法。
【請求項１１】
請求項８に記載されたＥＴＣ臨時出入口処理方法であって、
前記読み取りステップにおいて、前記読み取り情報は、ＩＣカード番号、及び料金所の入口で書き込まれた料金所の入口を特定する入口情報、を含み、
前記書き込みステップにおいて、前記書き込み情報は、出口を特定する出口情報を含み、
前記出口情報は設定された前記料金所情報である
ＥＴＣ臨時出入口処理方法。
【発明の詳細な説明】
【技術分野】
【０００１】
本発明は、有料道路において車両に搭載されたＥＴＣ対応のＩＣカードと通信して料金の収受を行う料金収受システム、料金収受方法に関する。
【背景技術】
【０００２】
有料道路の料金所において、通過する車両に搭載され、ＥＴＣ対応のＩＣカードが挿入された車載器と無線通信を行い、料金収受に必要な情報を送受信することで課金処理に利用するＥＴＣシステムが知られている。ＥＴＣシステムは渋滞緩和として普及が期待されており、普及を拡大する為にＥＴＣ利用者には利用料金の割引等の特典が与えられている。
【０００３】
図７はＥＴＣシステムで、無線通信の設備が備えられていない車線でＥＴＣ対応のＩＣカード３によりＥＴＣ処理を行う場合の主な構成を示している。図７に示されるように、そのＥＴＣシステムは、ＩＣカード３に対して情報の書き込み、読み取りを行うＩＣカード処理機４、そのＩＣカード３に書き込む情報を入力したり、車両のドライバーに対して種種の情報を表示して通知する操作・表示部２、路側に設置され車両の進入を検知する車両検知器１１、路側に設置され車両の発進を許可や禁止を行う発進制御機１２、及びこれらの機器の動作を制御する車線制御装置１３、を備えている。そのＥＴＣシステムでは、車両が近づいてくると、まず車両検知器１１によって車両の接近が検知される。ＩＣカード処理機でＩＣカード３に書かれた情報を読み取る。続いて、車線制御装置１３がＩＣカード３に書き込むべき情報を生成して、ＩＣカード処理機４を介してそのＩＣカード３に情報を書き込む。この際、料金区分として用いられる車種情報などが、操作・表示部２から入力された情報に基いて生成され、ＩＣカード３に書き込まれることもある。ＩＣカード処理機４がそのＩＣカードに情報の書き込みを終えると、発進制御機１２が車両の通過を許可し、車両に対して通行を促す。
【０００４】
車線制御装置１３は、料金所の事務所に設置された料金所サーバ１０と有線により接続されている。ＩＣカード処理機４とＩＣカード３との間で行われた情報の読み取り及び書き込みの内容は、車線制御装置１３から料金所サーバ１０へ有線によって送られ、料金所サーバ１０において保存される。料金所サーバ１０に保存された情報は、更に上位の課金システム等に通知されて、課金処理が行われる。
【０００５】
このようなＥＴＣシステムは、料金所の出入口の少なくとも一つの車線に固定されて設置されている。固定型のＥＴＣシステムでは、ＥＴＣシステムが設置された場所以外を通行する車両に対してはＥＴＣ処理が行われない。よって、ＥＴＣシステムが設置された車線が封鎖された場合などは、ＥＴＣ利用者に対してＥＴＣ処理が行われず、利用者はＥＴＣの利用割引が得られない。ＥＴＣシステムが設置された場所以外においてもＥＴＣ処理を行うことのできる技術の提供が望まれる。
【０００６】
一方で、有料道路では、災害や事故等の発生時に渋滞が発生することがある。図２は、アクシデントが発生して渋滞が起こるメカニズムを説明する図である。図２中、矢印方向が車両の進行方向であり、地点Ｘがアクシデントの発生した場所であるとする。このような場合、地点Ｘの上流側の料金所Ｂの出口からは、車両が一斉に一般道路へ流出することになり、料金所出口Ｂの上流側において渋滞が発生することが多い。有料道路では後戻りできないので、料金所Ａを通過した車両は料金所Ｂまで行かないと有料道路を出られないため、渋滞に巻き込まれてしまう。また、料金所Ｂの入口は閉鎖となる。
【０００７】
アクシデントが発生した際に、渋滞を緩和させる技術の提供が望まれる。
【０００８】
上記と関連して、特許文献１は、無線通信機能を持ち車両に搭載された車載器と同車載器に挿入して使用可能な支払機能及び通行券機能を持つＩＣカードを使用した有料道路の料金収受システムにおいて、料金所に設けられ、該料金所に進入した車両に搭載された車載器と無線通信を行って課金処理を行う１アンテナ方式による路側システムと、前記路側システムと車載器との通信による課金処理が正常に終了しなかった場合に、前記路側システムから前記車両側にＩＣカードによる料金収受を支持する手段と、前記料金所に設けられ、前記ＩＣカードの記録情報を直接読み取って課金処理を行うＩＣカード処理器とを具備したことを特徴とする有料道路の料金収受システム、を開示している。
【０００９】
また、特許文献２は、無線通信機能を持ち車両に搭載された車載器と同車載器に挿入して使用可能な支払機能を持つＩＣカードを使用した対距離料金道路の料金収受システムにおいて、上記ＩＣカードに、金額情報、車種情報及び車両の通過した料金所の経路情報記憶するメモリを設けて通行券の機能を持たせるとともに、入口料金所及び出口料金所に上記車載器と無線通信手段により料金収受に必要な情報を交換するＥＴＣ処理装置とを有することを特徴とする有料道路の料金収受システム、を開示している。
【特許文献１】特開平１１−１９５１５１号  公報
【特許文献２】特開平１１−１７５７８６号  公報
【発明の開示】
【発明が解決しようとする課題】
【００１０】
本発明の目的は、ＥＴＣシステムが設置された場所以外においてもＥＴＣ処理を行うことのできるＥＴＣ臨時出入口システム、ＥＴＣ臨時出入口処理方法、及びＥＴＣ臨時出入口用車両を提供することにある。
【００１１】
本発明の別の目的は、アクシデントが発生した際に、渋滞を緩和させることのできるＥＴＣ臨時出入口システム、ＥＴＣ臨時出入口処理方法、及びＥＴＣ臨時出入口用車両を提供することにある。
【００１２】
本発明の更に別の目的は、料金所でＥＴＣ設備が故障した場合に、代替のＥＴＣシステムを運用することにある。
【課題を解決するための手段】
【００１３】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１４】
本発明に係るＥＴＣ臨時出入口システム（１）は、可搬性を有し、有料道路の入口料金所又は出口料金所のＥＴＣ設備が故障した車線において使用されるものである。ＥＴＣ臨時出入口システム（１）は、料金所を特定する情報である料金所情報等を入力するためキーボード、タッチパネル、表示画面等からなる操作表示部（２）と、ＥＴＣ対応のＩＣカード（３）に対して情報の読み取り及び書き込みを行うＩＣカード処理部（４）と、処理を行った時間情報を確認するための時計部（１１）と、ＩＣカード処理部（４）の処理結果をその時間情報と対応付けて格納する記憶部（６）と、操作表示部（２）、ＩＣカード処理部（４）、時計部（１１）、及び記憶部（６）を制御可能な制御部（５）と、を備える。制御部（６）は、ＩＣカード処理部（４）を介してＩＣカード（３）から情報を読み取る。制御部（６）は、時計部（１１）を参照して時間情報を取得する。制御部（６）は、その料金所情報等を取得したその時間情報と対応付けた書き込み情報を生成する。制御部（６）は、その書き込み情報をＩＣカード（３）に書き込むように、ＩＣカード処理部（４）を制御する。制御部（６）は、ＩＣカード（３）から読み取った読み取り情報と、その書き込み情報とを対応付けて記憶部（６）に格納する。記憶部（６）に格納された情報は、着脱自在な記憶媒体に移管される。その記憶媒体に移管された情報は、料金所に設置された料金所サーバ（１０）に移管される。
【００１５】
上述の構成に依れば、ＩＣカード処理部（４）が、ＩＣカード（３）と情報の読み取り及び書き込みを行うので、ＥＴＣ処理が可能である。ここで、ＩＣカード処理部（４）が処理した情報が着脱自在な記憶媒体を介して料金所サーバ（１０）に通知される構成とすることで、料金所サーバ（１０）とは遠隔した場所において、ＥＴＣ処理を行うことができる。
即ち、入口料金所のＥＴＣ設備が故障した車線等にＥＴＣ臨時出入口システム（１）を搬送し、ＩＣカードに対して情報の書き込み、読み取りを行うことができる。
更に、起動の都度、操作表示部（２）により料金所情報が入力されるので、有料道路上に複数設置された料金所のうち、いずれの料金所の臨時出入口としても使用可能である。
また、車両検知器や発進制御機などの路側に固定された機器を含んでいないので、車両によって搬送することが可能で、また不要な機器がなく、システムを安価で提供できる。
このように、入口ＥＴＣシステム故障時に、従来はＥＴＣ利用者も一般利用者と同様に通行券を受け取り出口ではＥＴＣレーンを利用できなかったが、本システムにより入口処理を行えば、出口ではＥＴＣレーンの利用が可能になりスムーズな出口通過が可能となる。
【００１６】
本発明に係るＥＴＣ臨時出入口システム（１）は、可搬性を有し、有料道路出口料金所のＥＴＣ設備が故障している車線、若しくは、有料道路に出入可能でＥＴＣ設備が設置されていない場所に臨時に設けられた有料道路の出口において使用される。有料道路上に臨時に設けられた出口において使用される。ＥＴＣ臨時出入口システム（１）は、料金所を特定する情報である料金所情報を入力するための操作表示部（２）と、ＥＴＣ対応のＩＣカード（３）に対して情報の読み取り及び書き込みを行うＩＣカード処理部（４）と、操作表示部（２）及びＩＣカード処理部（４）を制御可能な制御部（５）と、を備える。制御部（６）は、ＩＣカード処理部（４）を介してＩＣカード（３）から情報を読み取る。制御部（６）は、時計部（１１）を参照して時間情報を取得する。制御部（６）は、その料金所情報等を取得したその時間情報と対応付けた書き込み情報を生成する。制御部（６）は、その書き込み情報をＩＣカード（３）に書き込むように、ＩＣカード処理部（４）を制御する。制御部（６）は、ＩＣカード（３）から読み取った読み取り情報と、その書き込み情報とを対応付けて記憶部（６）に格納する。記憶部（６）に格納された情報は、着脱自在な記憶媒体に移管される。更に、その記憶媒体に移管された情報は、料金所に設置された料金所サーバ（１０）に移管される。
【００１７】
上述の構成に依れば、ＩＣカード処理部（４）が、ＩＣカード（３）と情報の読み取り及び書き込みを行うので、ＥＴＣ処理が可能である。また、ＩＣカード処理部（４）が処理した情報を、着脱自在な記憶媒体を介して料金所サーバ（１０）に通知される構成とすることで、料金所サーバ（１０）とは遠隔した場所において、ＥＴＣ処理を行うことができる。
これにより、アクシデントが発生した際に、臨時に設けた出口でＥＴＣ処理を行い、車両を一般道路へ流出させることができるので、渋滞が緩和される。更に起動の都度、操作表示部（２）により料金所情報が入力されるので、有料道路上に複数設置された料金所のいずれの料金所の臨時出入口としても使用可能である。
また、車両検知器や発進制御機などの路側に固定された機器を含んでいないので、車両によって搬送することが可能である。
【００１８】
本発明に係るＥＴＣ臨時出入口システム（１）は、更に、記憶部（６）に格納される情報を、車両一台の処理を行う毎に紙面にプリントアウトするジャーナルプリンタ（７）を備えることも可能である。
【００１９】
本発明に係るＥＴＣ臨時出入口システム（１）において、その読み取り情報は、ＩＣカード番号、を含み、その書き込み情報は、入口を特定する入口情報、車種情報、及び時間情報を含む。
【００２０】
ＩＣカード番号を読み取り、入口情報として書き込むことで、臨時の料金所入口として使用することができる。
【００２１】
本発明に係るＥＴＣ臨時出入口システム（１）は、その読み取り情報は、ＩＣカード番号、入口を特定する入口情報を含み、その書き込み情報は、出口を特定する出口情報を含む。
【００２２】
ＩＣカード番号、入口情報を読み取り、料金所情報を出口情報としてＩＣカードに書き込むことで、臨時の料金所出口として使用することができる。
【００２３】
本発明に係るＥＴＣ臨時出入口用車両（８）は、ＥＴＣ臨時出入口システム（１）と、車両のドライバーに対してＥＴＣの臨時の出入口である旨を表示する標識部（９）と、を備えた、車両である。
【００２４】
本発明に係るＥＴＣ臨時出入口処理方法は、有料道路において、臨時に設けられた入口において用いられるものである。そのＥＴＣ臨時出入口処理方法は、ＥＴＣ臨時出入口用車両（８）によってＥＴＣ臨時出入口システム（１）を臨時に設けられた料金所の入口まで搬送するステップ（ステップＳ１０）と、臨時の料金所の入口を設置する臨時出入口設置ステップ（ステップＳ１２）と（請求項７の記載に合わせて修正しました＝搬送、設置の順序修正に伴う修正）、ＥＴＣ臨時出入口システム（１）を起動する起動ステップ（ステップＳ２０）と、起動ステップ（Ｓ２０）の後に、料金所を特定する料金所情報をＥＴＣ臨時出入口システム（１）のメモリに設定するステップ（ステップＳ３０）と、ＥＴＣ対応のＩＣカード（３）から情報の読み取りを行う読み取りステップ（ステップＳ４０）と、読み取りステップ（Ｓ４０）の後に、設定されたその料金所情報を含む書き込み情報をＩＣカード（３）に書き込む書き込みステップ（ステップＳ５０）と、ＩＣカード（３）から読み取った読み取り情報と、ＩＣカード（３）に書き込んだ書き込み情報と、を対応付けて記憶部（６）に格納するステップ（ステップＳ６０）と、記憶部（６）に記憶された読み取り情報及び書き込み情報を、隣接の料金所に設置された料金所サーバ（１０）に移動させるステップ（ステップＳ７０）と、を備える。
【００２５】
本発明に係るＥＴＣ臨時出入口処理方法は、有料道路上で臨時に設けられた出口において用いられるものである。そのＥＴＣ臨時出入口処理方法は、ＥＴＣ臨時出入口システム（１）をＥＴＣ臨時出入口用車両（８）によって臨時に設けられた料金所の出口まで搬送するステップ（ステップＳ１２）と、臨時の料金所の出口を設置する臨時出入口設置ステップ（ステップＳ１２）と、ＥＴＣ臨時出入口システム（１）を起動する起動ステップ（ステップＳ２０）と、起動ステップ（Ｓ２０）の後に、料金所を特定する料金所情報をＥＴＣ臨時出入口システム（１）のメモリに設定するステップ（ステップＳ３０）と、車両の車載器から抜き取られたＩＣカード（３）から情報の読み取りを行う読み取りステップ（ステップＳ４０）と、読み取りステップ（Ｓ４０）の後に、設定されたその料金所情報を含む書き込み情報をＩＣカード（３）に書き込む書き込みステップ（ステップＳ５０）と、ＩＣカード（３）から読み取った読み取り情報と、ＩＣカード（３）に書き込んだ書き込み情報と、を対応付けて記憶部（６）に格納するステップ（ステップＳ６０）と、記憶部（６）に記憶された読み取り情報及び書き込み情報を、隣接の料金所に設置された料金所サーバ（１０）に移動させるステップ（ステップＳ７０）と、を備える。
【００２６】
本発明に係るＥＴＣ臨時出入口処理方法は、更に、その読み取り情報及びその書き込み情報とを対応付けて紙面にプリントアウトするステップ（ステップＳ６２）、を備える。
【００２７】
本発明に係るＥＴＣ出入口処理方法において、読み取りステップ（Ｓ４０）において、その読み取り情報はＩＣカード番号を含み、書き込みステップ（Ｓ５０）において、その書き込み情報は、入口を特定する入口情報を含み、その入口情報は設定されたその料金所情報である。
【００２８】
本発明に係るＥＴＣ出入口処理方法において、読み取りステップ（Ｓ４０）において、その読み取り情報は、ＩＣカード番号、料金所の入口で書き込まれた料金所の入口を特定する入口情報、を含み、書き込みステップ（Ｓ５０）において、前記書き込み情報は、出口を特定する出口情報を含み、その出口情報は設定されたその料金所情報である。
【発明の効果】
【００２９】
本発明に依れば、ＥＴＣシステムが設置された場所以外においてもＥＴＣ処理を行うことのできるＥＴＣ臨時出入口システム、ＥＴＣ臨時出入口処理方法、及びＥＴＣ臨時出入口用車両が提供される。
【００３０】
本発明に依れば、システムを車両によって搬送可能であり、ＩＣカード３と情報の読み取り及び書き込みを行うＩＣカード処理部４を備えていることにより、通常の料金所出入口ではなく、臨時に設けた出入口にＥＴＣ臨時出入口システム１を搬送し、ＩＣカードと情報の書き込み、読み取りを行うことができる。これにより、アクシデントが発生した際に、臨時に設けた出口でＥＴＣ処理を行い、車両を一般道路へ流出させることができるので、渋滞が緩和される。更に起動の都度、操作表示部２により料金所情報が入力されるので、有料道路上に複数設置された料金所のいずれの料金所の臨時出入口としても使用可能である。また、車両検知器や発進制御機などの路側に固定された機器を含んでいないので、車両によって搬送することが可能である。
【００３１】
ＥＴＣ臨時出入口用車両８は、標識部９を備えた車両によって、臨時出入口の設置場所までＥＴＣ臨時出入口システム１を搬送できるので、搬送直後に短時間でＥＴＣ処理業務を開始することができる。
【００３２】
更に、本発明に依れば、アクシデントが発生した際に、その上流側の料金所の入口を使用可能とするＥＴＣ臨時出入口システム、ＥＴＣ臨時出入口処理方法、及びＥＴＣ臨時出入口用車両が提供される。
ジャーナルプリンタ（７）をシステムに備えた場合、ジャーナルプリンタ（７）によってプリントアウトされたＩＣカードと読み書きした情報は、突然の停電などにより記憶部（６）に格納された情報が消失された場合等におけるバックアップ情報として使用できる。
【発明を実施するための最良の形態】
【００３３】
（実施の形態）
（構成）
図１は、本実施の形態に係るＥＴＣ臨時出入口システム１の構成を示すブロック図である。ＥＴＣ臨時出入口システム１は、ＩＣカード処理部４、操作表示部２、ジャーナルプリンタ７、記憶部６、時計部１１、及びこれらの構成の動作を制御する制御部５を備えている。これらの構成は、ＥＴＣ臨時出入口用車両８に搭載可能となっている。また、ＥＴＣ臨時出入口システム１は、バッテリー（図示せず）と接続可能に構成されており、バッテリーの電源によって起動、動作するようになっている。
【００３４】
ＩＣカード処理部４は、車両の車載器に搭載されたＩＣカード３と情報の書き込みや読み取りを行う機能を実現する。尚、ＩＣカード処理部４は、車両の車載器から抜き取られたＩＣカードに対して情報の書き込みや読み取りを行うものであってもよい。以下、ＩＣカード３から読み取る情報を読み取り情報、ＩＣカード３に書き込む情報を書き込み情報とする。ＩＣカード処理部４が読み取った情報は制御部５へ通知される。また、ＩＣカード処理部４がＩＣカード３に書き込む情報は制御部５によって生成される。
【００３５】
操作表示部２は、キーボード、マウス、タッチパネル等に例示される。操作表示部２は、収受員によって操作される。また、操作表示部２は更に表示画面も有しており、入力された情報はその表示画面に表示されることで確認できるようになっている。よって収受員、操作表示部２からは、料金所を特定する情報である料金所情報が入力されるようになっている。また、操作表示部２からは、ＥＴＣ臨時出入口システムを臨時の「出口」で使用するのか、「入口」で使用するのか、についての情報が入力されるようになっている。操作表示部２から入力された情報は制御部５に通知される。
【００３６】
記憶部６としてはハードディスク等が例示される。その読み取り情報及び書き込み情報は、制御部５を介して記憶部６に格納される。記憶部６に格納された情報は、ＥＴＣ臨時出入口システム１及び料金所サーバ１０の双方の着脱自在な記憶媒体（ＣＤ−ＲＯＭ、フレキシブルディスク等）に移管することができる。
【００３７】
料金所サーバ１０は、各料金所に設けられ、上位の課金処理システムに接続されている。料金所サーバ１０は料金所で行われた料金収受に関する情報を取得し、これを上位の課金処理システムに通知するものである。ここで、料金所サーバ１０は、記憶媒体が着脱自在であるように構成されている。
【００３８】
ジャーナルプリンタ７は、制御部５によって動作を制御され、その読み取り情報及び書き込み情報を紙面にプリントアウトする。ジャーナルプリンタ７によりプリントアウトされた情報は、電源が切断されて記憶部６に格納された情報が消去された場合のバックアップとして使用される。
【００３９】
時計部１１はタイマー機能を有している。時計部１１は、制御部５に対して、年、月、日、時間、分を表す時間情報を通知する機能を実現する。
【００４０】
制御部５は、ＣＰＵ、メモリ等のハードウェア資源を備えており、インストールされたプログラムによってその動作を実現する。制御部５は、ＩＣカード処理部４、操作表示部２、ジャーナルプリンタ７、時計部１１、及び記憶部６と接続しており、これらの動作を制御する。即ち、制御部５は、ＩＣカード処理部４が読み取った情報を取得して記憶部６に格納する。また、操作表示部２から入力された料金所情報を図示しないメモリに設定するとともに、設定された料金所情報に基いて書き込み情報を生成し、ＩＣカード処理部４の書き込み動作を制御する。更に、制御部５は、生成した書き込み情報を記憶部６に格納する。また、制御部５は、ジャーナルプリンタ７に対して、ＩＣカード処理部４とやり取りした内容をプリントアウトするように指示する。
【００４１】
図６は、読み取り情報及び書き込み情報の概念図を示す。ＩＣカード処理部４がＩＣカードと送受信する情報は、ＥＴＣによる料金収受に必要な情報である。臨時の入口での読み取り情報としては、ＩＣカード番号等が挙げられる。また、臨時の入口での書き込み情報としては、入口情報、入口通過日時、及び車種情報が挙げられる。一方、臨時の出口での読み取り情報としては、ＩＣカード番号、入口情報、入口通過日時、及び車種情報が挙げられる。また、臨時の出口での書き込み情報としては、出口情報及び出口通過日時が挙げられる。
【００４２】
上述のような構成を有するＥＴＣ臨時出入口システム１は、ＥＴＣ臨時出入口用車両８によって搬送することが可能である。図３は、ＥＴＣ臨時出入口システム１を搬送するＥＴＣ臨時出入口用車両８を示している。ＥＴＣ臨時出入口用車両８は、上側の屋根部分に「ＥＴＣ」等と表示された標識部９を備えていることが望ましい。標識部９を備えていることにより、有料道路を走行する車両にＥＴＣ車両が使用できる臨時の出入口である旨を報知することができる。よって、臨時出入口にＥＴＣシステム１を搬送した後に、別途車両に対して臨時の出入口である旨を表示する機器を設置することなく、即座にＥＴＣ処理を開始することができる。
【００４３】
（動作）
（出口処理）
図４は、本実施の形態に係るＥＴＣ臨時出入口システム１が、臨時出口のＥＴＣ処理を行う場合についてのフローチャートを示す。本実施の形態に係る臨時出入口処理方法は、ＥＴＣ臨時出入口システム１を搬送するステップＳ１０、臨時出入口設置ステップＳ１２、ＥＴＣ臨時出入口システム１を起動するステップＳ２０、料金所情報設定ステップＳ３０、読み取りステップＳ４０、書き込みステップＳ５０、情報を格納するステップＳ６０、プリントアウトステップＳ６２、及び料金所サーバに情報を移動させるステップＳ７０を備えている。
【００４４】
（ステップＳ１０；搬送）
図５は、臨時出入口の設置について説明する図である。図６中、矢印方向は車両の流れを示している。有料道路において、事故や災害などによりある地点Ｘにおいて通行止めになったとする。地点Ｘのすぐ上流側の料金所を料金所Ａとする。料金所Ａの更に上流側の臨時出口Ａ’となる場所へ、ＥＴＣ臨時出入口用車両８によってＥＴＣ臨時出入口システム１が搬送される。
【００４５】
（ステップＳ１２；臨時出口の設置）
臨時出口Ａ’に、料金所Ａの臨時出口を設置する。臨時出口Ａ’としては、パーキングエリアや、工事用車両の出入口が使用される
【００４６】
（ステップＳ２０；システムの起動）
続いて、ＥＴＣ臨時出入口システム１が起動される。
【００４７】
（ステップＳ３０；料金所情報の設定）
ＥＴＣ臨時出入口システム１が起動されると、操作員が料金所情報として「料金所Ａ」を操作表示部２から入力する。更に、操作員が、図示しない入力部を介して「出口」処理を行う旨を入力する。料金所情報は、操作表示部２から制御部５へ通知され、制御部５のメモリに「料金所Ａ」が料金所情報として設定される。また、入力部から入力された「出口」も同様にメモリに設定されて、制御部５は以降、ＥＴＣ臨時出入口システム１が、臨時の出口におけるＥＴＣ処理を行うように動作を制御する。
【００４８】
（ステップＳ４０；情報の読み取り）
車両が臨時出口Ａ'へ進入すると、操作員がＩＣカード処理部４を車両に搭載されたＩＣカードにかざす。これにより、ＩＣカード処理部４がＩＣカード３と通信を行う。ＩＣカード処理部４は、まずＩＣカード３から読み取り情報を読み取る。尚、ＩＣカード処理部４が、車載器から抜き取られたＩＣカードと交信を行なうものである場合には、車載器から抜き取られたＩＣカードに対して処理が行われる。この読み取りにより、ＩＣカード処理部４はＩＣカード番号、入口情報、入口を通過した日時、車種情報を読み取り情報として取得する。ＩＣカード処理部４は、読み取った情報を制御部５へ通知する。
【００４９】
（ステップＳ５０；情報の書き込み）
続いて、制御部５がＩＣカード３へ書き込むべき情報を生成する。制御部５は、メモリに料金所情報として設定された「料金所Ａ」を取得する。制御部５は、時計部１１を参照して、時間情報を取得する。制御部５は、取得した「料金所Ａ」を出口情報とし、取得した時間情報を出口通過日時として、これらを対応付けた書き込み情報を生成する。続いて、ＩＣカード処理部４を介してＩＣカード３に書き込み情報を送信する。
【００５０】
（ステップＳ６０；格納ステップ、ステップＳ６２；プリントアウト）
制御部５は、取得又は生成した読み取り情報及び書き込み情報を、時計部１１より取得した時間情報と対応付けて、記憶部６に格納する（Ｓ６０）。また、制御部５は、読み取り情報及び書き込み情報を対応付けてジャーナルプリンタ７により紙面にプリントアウトする（Ｓ６２）。プリントアウトされた紙面は、記憶部６に格納された情報のバックアップとして保管される。
【００５１】
ステップＳ４０〜６２の処理によって、一台の車両に対するＥＴＣ処理が完了する。続いて他の車両が臨時出口Ａ'に進入してくると、再びステップＳ４０からの動作を繰り返す。渋滞が緩和するなどして、臨時出口Ａ'の設置が解除されると、ステップＳ７０へ進む。
【００５２】
（ステップＳ７０；情報の移管）
臨時出口Ａ'での出口処理操作が終了した後には、記憶部６には多数台の車両に関しての読み取り情報及び書き込み情報が格納されている。この読み取り情報及び書き込み情報が、フレキシブルディスクやＣＤ−ＲＯＭに例示される持ち運び可能な記憶媒体を介して、料金所Ａに設置された料金所サーバ１０に移管される。料金所サーバへ通知された情報は、通常時の処理と同様に更に上位の課金システム等に通知されて、課金処理が行われる。
【００５３】
以上で、本実施の形態に係る臨時出入口処理方法における、臨時出口での一連の動作が終了する。
【００５４】
（入口処理）
続いて、本実施の形態に係るＥＴＣ臨時出入口システム１が、有料道路の入口料金所のＥＴＣ設備が故障した車線で入口処理を行う場合についての動作を説明する。入口処理を行う場合の動作も図４のフローチャートにより説明される。以下に、各ステップについて詳述する。
【００５５】
（ステップＳ１０；搬送）
有料道路の入口料金所のETC設備が故障した車線に、ＥＴＣ臨時出入口システム１が搬送される。
【００５６】
（ステップＳ１２；臨時入口の設置）
続いて、有料道路の入口料金所のＥＴＣ設備が故障した車線にＥＴＣ臨時出入口システムが設置される。
【００５７】
（ステップＳ２０；システムの起動）
続いて、ＥＴＣ臨時出入口システム１が起動される。
【００５８】
（ステップＳ３０；料金所情報の設定）
ＥＴＣ臨時出入口システム１が起動されると、操作員が料金所情報として「料金所」を操作表示部２から入力する。更に、操作員が、図示しない入力部を介して「入口」処理を行う旨を入力する。料金所情報は、操作表示部２から制御部５へ通知され、制御部５においてメモリに「料金所」が料金所情報として設定される。また、入力部から入力された「入口」も同様にメモリに設定されて、制御部５は以降、ＥＴＣ臨時出入口システム１が、入口におけるＥＴＣ処理を行うように動作を制御する。
【００５９】
（ステップＳ４０；情報の読み取り）
車両が入口へ進入すると、操作員がＩＣカード処理部４を車両に搭載されたＩＣカードにかざす。これにより、ＩＣカード処理部４がＩＣカード３と通信を行う。ＩＣカード処理部４は、まずＩＣカード３から情報の読み取りを行う。この読み取りにより、ＩＣカード処理部４は読み取り情報としてＩＣカード番号を取得する。ＩＣカード処理部４は、読み取った情報を制御部５へ通知する。
【００６０】
（ステップＳ５０；情報の書き込み）
続いて、制御部５がＩＣカード３へ書き込むべき情報を生成する。制御部５は、メモリに料金所情報として設定された「料金所」を取得する。また、制御部５は時計部１１を参照して時間情報を取得する。制御部５は、取得した「料金所」を入口情報とし、取得した時間情報を入口通過日時として、両者を対応付けた書き込み情報を生成する。続いて、ＩＣカード処理部４を介してＩＣカード３にその書き込み情報を送信する。なお、書き込み情報の生成にあたり、車種情報等が更に対応付けられる場合もある。車種情報を対応付ける場合は、まず収受員が車両の車種を確認し、続いて図示しない入力部を介して車種情報を制御部５入力する。そして、制御部５は入力部を介して入力された車種情報を、入口情報や入口通過日時に対応付けて書き込み情報を生成する。尚、その入力装置は、操作表示部２と同一であってもよい。
【００６１】
（ステップＳ６０；格納ステップ、ステップＳ６２；プリントアウト）
制御部５は、取得又は生成した読み取り情報及び書き込み情報を対応付けて、記憶部６に格納する（Ｓ６０）。また、制御部５は、読み取り情報及び書き込み情報を対応付けてジャーナルプリンタ７により紙面にプリントアウトする（Ｓ６２）。プリントアウトされた紙面は、記憶部６に格納された情報のバックアップとなる。
【００６２】
ステップＳ４０〜６２の処理によって、一台の車両に対するＥＴＣ処理が完了する。続いて他の車両が入口に進入して来ると、再びステップＳ４０からの動作を繰り返す。故障したＥＴＣ設備の復旧時や、勤務終了時にはステップＳ７０へ進む。
【００６３】
（ステップＳ７０；情報の移管）
入口でのＥＴＣ入口処理操作が終了した後には、記憶部６には多数台の車両に関しての読み取り情報及び書き込み情報が格納されている。この読み取り情報及び書き込み情報が、フレキシブルディスクやＣＤ−ＲＯＭに例示される持ち運び可能な記憶媒体を介して、料金所に設置された料金所サーバに移管される。料金所サーバへ通知された情報は、通常時の処理と同様に更に上位の課金システム等に通知されて、課金処理が行われる。
【００６４】
以上で、本実施の形態に係る臨時出入口処理方法における、入口での一連の動作が終了する。
【００６５】
（作用・効果）
本実施の形態に依れば、以下に述べる作用・効果を奏する。
【００６６】
ＥＴＣ臨時出入口システム１を用いることで、臨時出口Ａ'をアクシデント発生地点の上流側に設けてＥＴＣ処理を行うことができる。これにより、アクシデント発生地点の下流側で有料道路から一般道路へ移る予定であった車両を、アクシデント発生地点の上流側で一般道路へ移動させることができる。よって、アクシデント発生地点の上流側における渋滞が緩和される。
【００６７】
本システムで処理可能な車両をＥＴＣ車両に特化することにより、臨時出口はＥＴＣ車両のみ通過可能となり、ＥＴＣ車両の優位性を出すことができ、ＥＴＣの普及促進の効果も期待できる。
【００６８】
更に、ＥＴＣ臨時出入口システム１が車両によって搬送され、起動時に料金所情報が設定されることで、ＥＴＣが設置された場所以外の場所でもＥＴＣ処理を行うことができる。よって、有料道路上に料金所は通常複数箇所が設けられているが、いずれの料金所の臨時出口として使用して、ＥＴＣの出口処理を行うことが可能である。
【００６９】
ＥＴＣ契約を結んでいる車両も、有料道路の料金所でＥＴＣシステムの車線を通過しなかった場合は、ＥＴＣの割引等の特典を受けることができないが、料金所でＥＴＣ設備が故障した場合もこれにあたる。有料道路の料金所でＥＴＣ設備が故障した場合でも、本発明のシステムを車線に設置することにより、ＥＴＣ処理が可能となるため、ＥＴＣの割引等の特典を提供可能となる。
【図面の簡単な説明】
【００７０】
【図１】ＥＴＣ臨時出入口システムの構成を示すブロック図である。
【図２】アクシデント発生時の渋滞発生のメカニズムを説明する図である。
【図３】ＥＴＣ臨時出入口用車両の構成を示す図である。
【図４】ＥＴＣ臨時出入口システムの動作を示すフローチャートである。
【図５】臨時の出入口の設置を説明する図である。
【図６】読み取り情報及び書き込み情報の内容を説明する概念図である。
【図７】料金所の車線に固定されたＥＴＣ処理システムの構成を示す図である。
【符号の説明】
【００７１】
１    ＥＴＣ臨時出入口システム
２    操作表示部
３    ＩＣカード
４    ＩＣカード処理部
５    制御部
６    記憶部
７    ジャーナルプリンタ
８    ＥＴＣ臨時出入口用車両
９    標識部
１０  料金所サーバ
【図１】
2007233519.tif 000003
【図２】
2007233519.tif 000004
【図３】
2007233519.tif 000005
【図４】
2007233519.tif 000006
【図５】
2007233519.tif 000007
【図６】
2007233519.tif 000008
【図７】
2007233519.tif 000009